(57)【特許請求の範囲】
【請求項１】
画像を表示する表示モニタを備えた撮像装置であって、
前記撮像装置の右側側面に形成されるグリップ部と、
前記撮像装置の前側上部に形成される前脚部と、
前記撮像装置の後側上部に形成される後脚部と、
前記前脚部と前記後脚部を連結する取手把持部と、
前記取手把持部よりも前方に形成され、前記表示モニタが収納状態となるときに前記表示モニタの表示面と対向する台座部と、
前記前脚部と前記台座部との間に形成され、前記表示モニタが収納状態となるときに前記表示モニタの先端側を収納する収納部と、
前記台座部よりも前方に形成される突出部と、
一方が前記表示モニタに固定され、他方が前記突出部に固定されるヒンジ部材と、を備え、
前記収納部には、前記表示モニタが前記収納部に収納されるときに前記表示モニタの先端側と係合する係合部が形成されることを特徴とする撮像装置。
【請求項２】
前記係合部が前記表示モニタの先端側と係合するとき、前記表示モニタの表示面が前記台座部と接触しないように、前記係合部が形成されることを特徴とする請求項１に記載の撮像装置。
【請求項３】
前記表示モニタが収納状態となるときに、前記表示モニタの背面と係合して前記表示モニタを収納状態に保持するロック部材を備えることを特徴とする請求項１または２に記載の撮像装置。
【請求項４】
前記ヒンジ部材の第１の回動軸を中心として、収納状態となる前記表示モニタを第１の方向に回動させると、前記表示モニタは前記グリップ部とは反対側に前記台座部から引き出され、
前記ヒンジ部材の第１の回動軸を中心として、収納状態となる前記表示モニタを前記第１の方向は反対方向となる第２の方向に回動させると、前記表示モニタは前記グリップ部側に前記台座部から引き出されることを特徴とする請求項１ないし３のいずれか１項に記載の撮像装置。
【発明の詳細な説明】
【技術分野】
【０００１】
本発明は、画像を表示する表示モニタを備えた撮像装置に関する。
【背景技術】
【０００２】
近年、デジタルスチルカメラやビデオカメラ等の撮像装置においては、撮像中の画像を表示させる表示部を備えたものが普及している。
【０００３】
ビデオカメラ本体に設けられる取手の先端に表示部としての液晶ディスプレイを配置することが知られている。（特許文献１参照）
【先行技術文献】
【特許文献】
【０００４】
【特許文献１】特開２００５−２１０６７７号公報
【発明の概要】
【発明が解決しようとする課題】
【０００５】
しかしながら、特許文献１に記載されるように表示部を短辺方向に回動させて収納状態とする構成で、表示部の大型化する場合もしくは表示部のアスペクト比を９：１６とする場合には、取手の先端が幅方向に大型化する。撮像装置の前方部には重量物であるレンズ部が配置されるので、取手の先端が幅方向に大型化すると、重量物が撮像装置の前方部に集まってしまい、撮像装置の重量バランスが崩れてしまう。重量バランスが崩れた撮像装置は長時間の撮影に向かない。
【０００６】
本発明はかかる点に鑑みてなされたものであり、表示部を大型化させたとしても、重量バランスを崩すことが少ない撮像装置を提供することを目的とする。
【課題を解決するための手段】
【０００７】
本発明の撮像装置は、画像を表示する表示モニタを備えた撮像装置であって、前記撮像装置の右側側面に形成されるグリップ部と、前記撮像装置の前側上部に形成される前脚部と、前記撮像装置の後側上部に形成される後脚部と、前記前脚部と前記後脚部を連結する取手把持部と、前記取手把持部よりも前方に形成され、前記表示モニタが収納状態となるときに前記表示モニタの表示面と対向する台座部と、前記前脚部と前記台座部との間に形成され、前記表示モニタが収納状態となるときに前記表示モニタの先端側を収納する収納部と、前記台座部よりも前方に形成される突出部と、一方が前記表示モニタに固定され、他方が前記突出部に固定されるヒンジ部材と、を備え、前記収納部には、前記表示モニタが前記収納部に収納されるときに前記表示モニタの先端側と係合する係合部が形成されることを特徴とする。
【発明の効果】
【０００８】
本発明によれば、表示部を大型化させたとしても、重量バランスを崩すことが少ない。
【図面の簡単な説明】
【０００９】
【図１】ＬＣＤモニタ１０４を収納部に収納した状態のビデオカメラ１０１を説明する図である。
【図２】ＬＣＤモニタ１０４を収納部に収納した状態のビデオカメラ１０１を説明する図である。
【図３】ＬＣＤモニタ１０４をグリップ部２０３とは反対側に引き出したときの２軸ヒンジ３０１の状態を説明する図である。
【図４】ＬＣＤモニタ１０４をグリップ部２０３とは反対側に引き出した状態を説明する図である。
【図５】ＬＣＤモニタ１０４をグリップ部２０３とは反対側に引き出した状態を説明する図である。
【図６】ＬＣＤモニタ１０４をグリップ部２０３側に引き出したときの２軸ヒンジ３０１の状態を説明する図である。
【図７】ＬＣＤモニタ１０４をグリップ部２０３側に引き出した状態を説明する図である。
【図８】ＬＣＤモニタ１０４をグリップ部２０３側に引き出した状態を説明する図である。
【図９】ＬＣＤモニタ１０４を収納部１１６に収納した状態を説明する図である。
【図１０】ＬＣＤモニタ１０４を収納部１１６から引き出した状態を説明する図である。
【図１１】収納部１１６の構造を説明する図である。
【図１２】本実施形態と前脚部の上方に収納部を形成しない形態とを比較した図である。
【発明を実施するための形態】
【００１０】
図１〜図１２は、撮像装置としてのビデオカメラ１０１を説明する図である。図１および図２はビデオカメラ１０１の外観を説明する図である。図３〜図５は表示モニタとしてのＬＣＤモニタ１０４をグリップ部２０３とは反対側に引き出した状態を説明する図である。図６〜図８はＬＣＤモニタ１０４をグリップ部２０３側に引き出した状態を説明する図である。図９はＬＣＤモニタ１０４を収納部１１６に収納した状態を説明する図である。図１０はＬＣＤモニタ１０４を収納部１１６から引き出した状態を説明する図である。図１１は収納部１１６の構造を説明する図である。本図１２は本実施形態と前脚部の上方に収納部を形成しない形態とを比較した図である。
【００１１】
ビデオカメラ１０１は、カメラ本体部１０２と、このカメラ本体部１０２の前面に突出するように取り付けられたレンズ部１０３から構成されている。レンズ部１０３先端には、レンズ部１０３に入射する不要な光を遮断するためのレンズフード１１０が着脱可能に装着されている。
【００１２】
カメラ本体部１０２の右側側面には、撮影者が把持するグリップ部２０３がカメラ本体部１０２に一体に設けられている。グリップ部２０３にはグリップベルトが配置され、撮影者はグリップ部２０３とグリップベルトとの間に手を入れて、グリップ部２０３を把持する。
【００１３】
カメラ本体部１０２の上部には、レンズ部１０３の光軸方向である前後方向に延びる取手部１０６が一体に設けられている。取手部１０６は、カメラ本体部１０２の前側上部に立設された前脚部１０７と、カメラ本体部１０２の後側上部に立設された後脚部１０８と、前脚部１０７と後脚部１０８を連結する取手把持部１０９から構成されている。後脚部１０８の上部であって、取手把持部１０９の後端部には、撮影者が接眼して被写体を確認する電子ビューファインダ１０５が回動可能に取り付けられている。電子ビューファインダ１０５にはアイカップ１１１が取り付けられ、図１および図２に示す状態から上方に略７０度回動させることができる。
【００１４】
また、図１および図２に示すように、取手部１０６の前方には、取手把持部１０９に連続して形成される台座部１１２と、この台座部１１２の先端に連続して形成される突出部１１３が設けられている。台座部１１２の表面にはビデオカメラ１０１を操作する複数の操作部材が配置され、台座部１１２の裏面には、ＬＣＤモニタ１０４を収納する収納部１１６が形成されている。この状態では、ＬＣＤモニタ１０４の表示面４０１が台座部１１２の裏面に対向する状態となるので、表示面４０１は台座部１１２によって保護される状態となる。
【００１５】
台座部１１２の右側には、ガンマイクなどの外部マイクを保持するために配置された外部マイク保持部１１４が取付けられている。
【００１６】
突出部１１３は、前方及び左右側方に開口された中空状の部分からなり、その内部には図示しないマイクロホンが収納されている。突出部１１３の裏面は、ＬＣＤモニタ１０４を取手部１０６に対して回動可能に支持するヒンジ部材としての２軸ヒンジ３０１が取り付けられている。ヒンジカバー１１５は２軸ヒンジ３０１を覆うカバーである。
【００１７】
図３は、ＬＣＤモニタ１０４を図１および図２に示す収納状態からグリップ部２０３とは反対側に引き出した状態を示している。図３は、台座部１１２および突出部１１３を裏面側から見た図である。また、図３は、ヒンジカバー１１５が取り外され、２軸ヒンジ３０１を露出させた状態である。２軸ヒンジ３０１は、ＬＣＤモニタ１０４を第１の回動軸３０３を中心として回動させるとともに、図３の状態では第２の回動軸３０４を中心としてＬＣＤモニタ１０４を回動させることができる。第２の回動軸３０４はＬＣＤモニタ１０４の短辺方向の中心線と平行にオフセットした位置に設定されている。また、図１および図２に示す収納状態、図３に示す状態において、ＬＣＤモニタ１０４の短辺方向の中心線と第１の回動軸３０３とが直交する位置関係となる。したがって、第１の回動軸３０３と第２の回動軸３０４は交差することなく、ねじれの位置の関係となり、第１の回動軸３０３と第２の回動軸３０４とのなす角度が９０度となる。２軸ヒンジ３０１は、突出部１１３の裏面に対してビスで締結される締結部３０５、締結部３０５に対して回動する第１の回動部３０６、第１の回動部３０６に対して回動する第２の回動部３０７から構成されている。締結部３０５には軸部３０８が形成され、第１の回動部３０６は軸部３０８に挿入される軸受け部が形成される。軸部３０８の中心軸が第１の回動軸３０３となる。第２の回動部３０７には軸部３０９が形成され、第１の回動部３０６は軸部３０９に挿入される軸受け部が形成される。軸部３０９の中心軸が第２の回動軸３０４となる。
【００１８】
すなわち、締結部３０５に対して第１の回動部３０６は第１の回動軸３０３で回動するとともに、第１の回動部３０６に対して第２の回動部３０７は第２の回動軸３０４で回動する。第２の回動部３０７はＬＣＤモニタ１０４のモニタケース４０３に対してビスで締結されている。したがって、２軸ヒンジ３０１の一方端はＬＣＤモニタ１０４に固定され、２軸ヒンジ３０１の他方端は突出部１１３に固定される。
【００１９】
第１の回動部３０６は締結部３０５に対して第１の方向である矢印Ｙ方向に約９０度まで回動するとともに、第１の方向とは反対方向の第２の方向である矢印Ｙ’方向に約９０度まで回動するように構成されている。すなわち、第１の回動部３０６は締結部３０５に対して約１８０度の範囲で回動させることができる。図３はＬＣＤモニタ１０４を図１および図２に示す状態から図３の矢印Ｙ方向に約９０度回動させ、台座部１１２からグリップ部２０３とは反対側に引き出した状態である。
【００２０】
第２の回動部３０７は、図３の状態から第１の回動部３０６に対して矢印Ｘ方向に約９０度まで回動するとともに、矢印Ｘ’方向に約１８０度まで回動するように構成されている。すなわち、第２の回動部３０７は第１の回動部３０６に対して約２７０度の範囲で回動させることができる。
【００２１】
図４は、図３と同様に、ＬＣＤモニタ１０４を図１および図２に示す収納状態からグリップ部２０３とは反対側に引き出した状態を示している。このとき、２軸ヒンジ３０１内部では、第１の回動部３０６は締結部３０５に対して図３の矢印Ｙ方向に約９０度回動している。したがって、ビデオカメラ１０１は図４の示すように、ＬＣＤモニタ１０４の表示面４０１が上を向いた状態で台座部１１２から露出する状態となる。この状態では、ローアングル撮影時において、グリップ部２０３とは反対側でＬＣＤモニタ１０４によって被写体確認を行うことができる。なお、図４ではヒンジカバー１１５が取り付けられた状態となっている。
【００２２】
図４の状態から表示面４０１がビデオカメラ１０１の後方に向くように、ＬＣＤモニタ１０４を第２の回動軸３０４を中心として回動させることで、ビデオカメラ１０１は図５に示す状態となる。このとき、２軸ヒンジ３０１内部では、図３に示した状態から第２の回動部３０７が第１の回動部３０６に対して図３の矢印Ｘ’方向に約９０度回動する。また、図５に示す状態からＬＣＤモニタ１０４の表示面４０１を第２の回動軸３０４を中心として、さらに９０度まで下方に向けて回転させることができる。ＬＣＤモニタ１０４をグリップ部２０３とは反対側に引き出した状態では、第２の回動軸３０４を中心にＬＣＤモニタ１０４を回動させることで、ＬＣＤモニタ１０４の表示面４０１は図５に示す状態を経由して、ビデオカメラ１０１の下方を向く状態となる。したがって、ハイアングル撮影であっても、ＬＣＤモニタ１０４で被写体を確認することができる。
【００２３】
図６は、ＬＣＤモニタ１０４を図１および図２に示す収納状態からグリップ部２０３側に引き出した状態を示している。図６も図３と同様に、台座部１１２および突出部１１３を裏面側から見た図であって、ヒンジカバー１１５が取り外され、２軸ヒンジ３０１を露出させた状態である。図７はＬＣＤモニタ１０４を図１および図２に示す状態から矢印Ｙ’方向に約９０度回動させ、台座部１１２からグリップ部２０３側に引き出した状態である。
【００２４】
第２の回動部３０７は、図６の状態から第１の回動部３０６に対して矢印Ｘ’方向に約１８０度まで回動するとともに、矢印Ｘ方向に約９０度まで回動するように構成されている。すなわち、第２の回動部３０７は第１の回動部３０６に対して約２７０度の範囲で回動させることができる。
【００２５】
図７は、ＬＣＤモニタ１０４を図１および図２に示す収納状態からグリップ部２０３側に引き出した状態を示している。このとき、２軸ヒンジ３０１内部では、第１の回動部３０６は締結部３０５に対して図６の矢印Ｙ’方向に約９０度回動している。したがって、ビデオカメラ１０１は図７の示すように、ＬＣＤモニタ１０４の表示面４０１が上を向いた状態で台座部１１２から露出する状態となる。この状態では、ローアングル撮影時において、グリップ部２０３側でＬＣＤモニタ１０４によって被写体確認を行うことができる。
【００２６】
図７の状態から表示面４０１がビデオカメラ１０１の後方に向くように、ＬＣＤモニタ１０４を第２の回動軸３０４を中心として回動させることで、ビデオカメラ１０１は図８に示す状態となる。このとき、２軸ヒンジ３０１内部では、図６に示した状態から第２の回動部３０７が第１の回動部３０６に対して図６の矢印Ｘ方向に約９０度回動する。ＬＣＤモニタ１０４を図８の状態としたときに、外部マイク保持部１１４が表示面４０１を遮ることがないように、第２の回動軸３０４はＬＣＤモニタ１０４の短辺方向の中心位置からオフセットされた位置となっている。したがって、図８の状態としたときのＬＣＤモニタ１０４の高さ方向の位置は図５の状態としたときのＬＣＤモニタ１０４の高さ方向の位置よりも、低くなる。
【００２７】
図９は、収納部１１６にＬＣＤモニタ１０４を収納した状態のビデオカメラ１０１をグリップ部２０３とは反対側から見た図である。図１０は、ＬＣＤモニタ１０４を収納部１１６からグリップ部２０３とは反対側に引き出した状態のビデオカメラ１０１をグリップ部２０３とは反対側から見た図である。図１１はガイド溝１１７およびロック部材１１８を説明する図である。
【００２８】
ＬＣＤモニタ１０４を図１および図２に示す収納状態とするときに、ＬＣＤモニタ１０４を収納する収納部１１６が形成されている。収納部１１６は前脚部１０７と台座部１１２との間で、ＬＣＤモニタ１０４の先端側を収納部１１６に収納することができる。ＬＣＤモニタ１０４の先端側の端面には係合溝１２０が形成され、収納部１１６には係合溝１２０と係合する係合リブ１１９が形成されている。図４または図７の状態からＬＣＤモニタ１０４を収納部１１６に収納する方に回動させると、係合リブ１１９が係合溝１２０に係合して、収納位置近傍においてＬＣＤモニタ１０４の回動をガイドする。
【００２９】
また、ＬＣＤモニタ１０４を収納部１１６に収納としたときには、係合リブ１１９と係合溝１２０は係合状態となることで、ＬＣＤモニタ１０４の表示面４０１が台座部１１２の裏面と接触することを防止することができる。図１および図２に示す状態では、係合リブ１１９と係合溝１２０との係合面積が最大となる。したがって、ＬＣＤモニタ１０４の下方からＬＣＤモニタ１０４を台座部１１２に向けて押されたとしても、係合溝１２０と係合リブ１１９とが広い範囲で係合していることによって、押圧力に耐え、表示面４０１が台座部１１２の裏面に接触することがない。
【００３０】
図１１に示されるように、収納部１１６の底面には、ガイド溝１１７が形成され、ＬＣＤモニタ１０４の背面には凸部１２１が形成されている。凸部１２１はＬＣＤモニタ１０４の背面上で短辺方向の略中心位置に形成されている。図４または図７の状態からＬＣＤモニタ１０４を収納部１１６に収納する方に回動させると、凸部１２１がガイド溝１１７に係合して、収納位置近傍においてＬＣＤモニタ１０４の回動をガイドする。
【００３１】
ガイド溝１１７の長さ方向における中心位置近傍にロック部材１１８が配置されている。ロック部材１１８は凸部１２１と係合可能な凹形状を有し、ガイド溝１１７の内部で進退可能に配置されている。ＬＣＤモニタ１０４を回動させることで、凸部１２１はガイド溝１１７の内部を進み、凸部１２１はロック部材１１８に当接する。凸部１２１がロック部材１１８に当接すると、ロック部材１１８はガイド溝１１７から一旦退避して、凸部１２１とロック部材１１８の凹形状と係合状態となる。
【００３２】
これによって、ＬＣＤモニタ１０４は収納部１１６に収納された状態でロックされ、図１および図２に示す収納状態となる。収納状態にあるＬＣＤモニタ１０４を回動させると、ＬＣＤモニタ１０４に作用する回動力によって、凸部１２１がロック部材１１８を押し込み、ロック部材１１８はガイド溝１１７から一旦退避する。これによって、凸部１２１とロック部材１１８の凹形状と係合状態が解除される。凸部１２１とロック部材１１８との当接面は互いに斜面形状となっており、凸部１２１とロック部材１１８が当接する方向の力は、ロック部材１１８をガイド溝１１７から退避させる方向の力に変換されやすくなっている。ロック部材１１８はガイド溝１１７の内部に侵入するように、前脚部１０７の内部からバネ付勢されている。ロック部材１１８をガイド溝１１７から退避させる方向の力がロック部材１１８を付勢するバネ力を上回れば、ロック部材１１８はガイド溝１１７から前脚部１０７の内部に退避する。
【００３３】
本実施形態では、ＬＣＤモニタ１０４の長辺方向が取手部１０６の延出方向となるように、ＬＣＤモニタ１０４を収納することで、ＬＣＤモニタ１０４のアスペクト比を９：１６としても、取手部の先端が幅方向に大型化するがない。さらに、収納部１１６を前脚部１０７と台座部１１２との間に形成することで、ＬＣＤモニタ１０４の先端部を前脚部１０７の上方に収納することができ、取手部の前方の突出量を抑えることができる。
【００３４】
図１２は本実施形態と前脚部の上方に収納部を形成しない形態とを比較した図である。ＬＣＤモニタのサイズが同じであっても、前脚部の上方に収納部を形成しない形態では、突出部がレンズフードよりも前方に突出していることがわかる。前脚部の上方に収納部を形成しないことで、台座部１、突出部、ＬＣＤモニタの位置が前方に移動することになるので、ビデオカメラの重心位置は本実施形態と比較してかなり前方に移動してしまう。このようなレイアウトを採用すると、ＬＣＤモニタの大型化によって、さらに取手部の前方が突出し、ビデオカメラの重心位置もさらに前方に偏ってしまう。これに対して、本実施形態では、前脚部の上方に収納部を形成することで、取手部前方の突出量を抑え、ＬＣＤモニタを大型化したとしても、ビデオカメラの重心位置が前方に偏らないようにしている。
【符号の説明】
【００３５】
１０１  ビデオカメラ
１０４  ＬＣＤモニタ
１０６  取手部
１０７  前脚部
１１２  台座部
１１３  突出部
１１６  収納部
１１７  ガイド溝
１１８  ロック部材
１１９  係合リブ
１２０  係合溝
【図１】
0005483999.tif 000002
【図２】
0005483999.tif 000003
【図３】
0005483999.tif 000004
【図４】
0005483999.tif 000005
【図５】
0005483999.tif 000006
【図６】
0005483999.tif 000007
【図７】
0005483999.tif 000008
【図８】
0005483999.tif 000009
【図９】
0005483999.tif 000010
【図１０】
0005483999.tif 000011
【図１１】
0005483999.tif 000012
【図１２】
0005483999.tif 000013